(57)【要約】【課題】  プッシュノブの操作に必要な操作力並びに操作ストロークを操作者の要望に合わせて容易に変更できるようにする。【解決手段】  規制部材２２をプッシャ２１の移動を制する位置にセットしたとき、プッシュノブ１４の操作に必要な操作力並びに操作ストロークは、第１のスプリング部２４のばね力によって決定され、規制部材２２をプッシャ２１の移動を許容する位置にセットしたときには、プッシュノブ１４の操作に必要な操作力並びに操作ストロークは、第１のスプリング部２４と第２のスプリング部２５とのばね力によって決定される。かくして、プッシュノブ１４の操作に必要な操作力並びに操作ストロークを操作者の要望に合わせて容易に変更することができる。【選択図】  図１
2006331778.tif 000002
【特許請求の範囲】
【請求項１】
プッシュノブと、
このプッシュノブに対向するばね座とプッシュノブとの間に、その間を移動可能に設けられたプッシャと、
このプッシャと前記プッシュノブとの間に設けられた第１のスプリング部と、
前記プッシャとばね座との間に設けられた第２のスプリング部と、
前記ばね座方向へのプッシャの移動を制する位置とその移動を許容する位置とに変位可能に設けられた規制部材と、
前記プッシュノブにより移動される可動コンタクトと、
この可動コンタクトがその移動によって接離する固定コンタクトとを具備して成ることを特徴とするスイッチ装置。
【発明の詳細な説明】
【技術分野】
【０００１】
本発明は、プッシュタイプのスイッチ装置に関する。
【背景技術】
【０００２】
従来より、プッシュタイプのスイッチ装置においては、一般に、図４に示すように、プッシュノブ１と、このプッシュノブ１に対向するばね座２との間に、スプリング３が設けられている。又、プッシュノブ１により移動される可動コンタクト４に、固定コンタクト５が対応しており、上記プッシュノブ１をスプリング３のばね力（弾発力）に抗してばね座２方向にプッシュ操作したときに、可動コンタクト４が固定コンタクト５に接触し、この状態から、プッシュノブ１のプッシュ操作を解除したときに、プッシュノブ１がスプリング３のばね力により戻されて、可動コンタクト４が固定コンタクト５から離間するようになっている。
【発明の開示】
【発明が解決しようとする課題】
【０００３】
上記従来のものの場合、プッシュノブ１をプッシュ操作するに必要な操作力、並びに操作したときの操作ストロークは、スプリング３のばね力によって一義的に決まっており、それを操作者の要望に合わせて変えるということが容易にはできないものであった。
【０００４】
本発明は上述の事情に鑑みてなされたものであり、従ってその目的は、プッシュノブの操作に必要な操作力並びに操作ストロークを操作者の要望に合わせて容易に変更することのできるスイッチ装置を提供するにある。
【課題を解決するための手段】
【０００５】
上記目的を達成するために、本発明のスイッチ装置は、プッシュノブと、このプッシュノブに対向するばね座とプッシュノブとの間に、その間を移動可能に設けられたプッシャと、このプッシャと前記プッシュノブとの間に設けられた第１のスプリング部と、前記プッシャとばね座との間に設けられた第２のスプリング部と、前記ばね座方向へのプッシャの移動を制する位置とその移動を許容する位置とに変位可能に設けられた規制部材と、前記プッシュノブにより移動される可動コンタクトと、この可動コンタクトがその移動によって接離する固定コンタクトとを具備して成ることを特徴とする。
【発明の効果】
【０００６】
上記手段によれば、規制部材をプッシャの移動を制する位置にセットしたとき、プッシュノブの操作に必要な操作力並びに操作ストロークは、第１のスプリング部のばね力によって決定され、規制部材をプッシャの移動を許容する位置にセットしたときには、プッシュノブの操作に必要な操作力並びに操作ストロークは、第１のスプリング部と第２のスプリング部とのばね力によって決定される。かくして、プッシュノブの操作に必要な操作力並びに操作ストロークを操作者の要望に合わせて容易に変更することができる。
【発明を実施するための最良の形態】
【０００７】
以下、本発明の一実施例（一実施形態）につき、図１ないし図３を参照して説明する。
まず、図１には、スイッチ装置の全体的構成を示しており、図中下方にベース盤１１が存在し、上方にボディ１２が存在している。ボディ１２には孔１３を形成しており、この孔１３にプッシュノブ１４を上下に移動可能に挿入し、つば部１４ａにて抜け止めしている。又、プッシュノブ１４には、図中左側の側面に可動コンタクト１５を取付けている。
【０００８】
一方、ベース盤１１は、プッシュノブ１４の直下部にばね座１６を有しており、このばね座１６を囲って上方に筒状の囲い壁１７を突設し、囲い壁１７の左右両側方部には、それぞれガイド孔１８を形成している。又、囲い壁１７の近傍中、図中左側には、上記可動コンタクト１５と対応する固定コンタクト１９を立設している。
【０００９】
囲い壁１７にも、左右の両側部にガイド孔２０を形成しており、図２にも示すように、このガイド孔２０にプッシャ２１の左右両側方に突設したアーム部２１ａを挿通して、プッシャ２１の本体部２１ｂを囲い壁１７内に挿入し、前記プッシュノブ１４とばね座１６との間に位置させている。ガイド孔２０は、図１に示すように、プッシャ２１のアーム部２１ａに対して上下に寸法の余裕を有するものであり、その余裕で、プッシャ２１は、上下に、すなわち前記プッシュノブ１４とばね座１６との間を移動可能となっている。
【００１０】
又、前記ベース盤１１のガイド孔１８には、それぞれ、規制部材２２の脚部２２ａを挿入して左右に移動可能に設けている。この規制部材２２の脚部２２ａは、詳細には図３に示すように、下端部に厚肉部２３を有しており、この厚肉部２３の上部斜面２３ａでガイド孔１８の下側縁部に圧接することにより、規制部材２２が移動後の各位置に係止されるようになっている。そして、その係止状態から、脚部２２ａを図３に矢印Ａで示すように互いが近接する方向に圧してたわませ、この状態で図１に矢印Ｂで示す方向に動かすことにより、規制部材２２をガイド孔１８に沿って左右に移動変位させ得るようになっている。
【００１１】
図１は、上述の操作で、規制部材２２を前記囲い壁１７に最も近く位置させた状態を示しており、前記プッシャ２１はその位置にある規制部材２２に載ってばね座１６方向である下方への移動が制された状態にある。
【００１２】
しかして、上記プッシャ２１と前記プッシュノブ１４との間には、第１のスプリング部として圧縮コイルスプリング２４を介在させて設け、プッシャ２１と前記ばね座１６との間には、第２のスプリング部として、この場合、圧縮コイルスプリング２４よりばね定数の小さな圧縮コイルスプリング２５を介在させて設けている。そして、その結果、プッシュノブ１４は、圧縮コイルスプリング２４のばね力（弾発力）にて、前記つば部１４ａが前記ボディ１２の孔１３の下縁部に衝止されるまで上方に付勢され、可動コンタクト１５を固定コンタクト１９から離間させている。
【００１３】
次に、上記構成のものの作用を述べる。
上述のように、プッシャ２１が、囲い壁１７に最も近く位置された規制部材２２に載って下方への移動を制された状態にあるとき、プッシュノブ１４を上方よりプッシュ操作すると、上記プッシャ２１との間で、第１のスプリング部である圧縮コイルスプリング２４だけが圧縮される。従って、この場合、プッシュノブ１４のプッシュ操作は、圧縮コイルスプリング２４だけの弾発力に抗して行われるものであり、そのプッシュ操作によるプッシュノブ１４の下方への移動により、可動コンタクト１５が固定コンタクト１９に接触する。
【００１４】
これに対して、規制部材２２を囲い壁１７から離間させるように移動変位させてプッシャ２１の下方位置から退避させると、プッシャ２１は下方への移動、すなわちばね座１６方向への移動が許容される。この状態で、プッシュノブ１４を上方よりプッシュ操作すると、この場合には、ばね座１６との間で、第１のスプリング部である圧縮コイルスプリング２４がプッシャ２１を下方に移動させつつ第２のスプリング部である圧縮コイルスプリング２５を圧縮させ、そして圧縮コイルスプリング２４自身も圧縮される。
【００１５】
すなわち、この場合には、圧縮コイルスプリング２４が圧縮されるだけでなく、その圧縮先でコイルスプリング２５をも圧縮されるもので、それだけプッシュノブ１４のプッシュ操作に対する、スプリングの反発による抗力が小さくなり、プッシュノブ１４の操作に必要な操作力が小さくなる。又、この場合には、圧縮コイルスプリング２４が圧縮コイルスプリング２５を圧縮させつつ、自身も圧縮されることにより、プッシュノブ１４の操作ストロークが大きくなる。
【００１６】
なお、この場合も、プッシュノブ１４のプッシュ操作による下方への移動により、上述と同時点で、可動コンタクト１５が固定コンタクト１９に接触する。
又、プッシュノブ１４のプッシュ操作を解除したとき、前者では、プッシュノブ１４が圧縮コイルスプリング２４だけのばね力により戻され、後者では、プッシュノブ１４が圧縮コイルスプリング２４と圧縮コイルスプリング２５のばね力により戻されて、それぞれ可動コンタクト４が固定コンタクト５から離間する。
【００１７】
このように本構成のものでは、規制部材２２を、ばね座１６方向へのプッシャ２１の移動を制する位置にセットするか、又はばね座１６方向へのプッシャ２１の移動を許容する位置にセットするかの選択をするだけのことで、プッシュノブ１４の操作に必要な操作力並びに操作ストロークを変更することができるもので、その変更が操作者の要望に合わせて容易にできる。
【００１８】
なお、第１のスプリング部のばね定数と第２のスプリング部のばね定数は、その大小が前述とは逆であっても良い（第１のスプリング部のばね定数より第２のスプリング部のばね定数が大きい場合、規制部材２２を、ばね座１６方向へのプッシャ２１の移動を許容する位置にセットしたときのプッシュノブ１４の操作に必要な操作力は、上記実施例の場合よりも大きくなるものの、規制部材２２を、ばね座１６方向へのプッシャ２１の移動を制する位置にセットしたときのプッシュノブ１４の操作に必要な操作力よりは、やはり小さくなる）。
【００１９】
又、それらのばね定数は同じであっても良い（この場合、規制部材２２を、ばね座１６方向へのプッシャ２１の移動を許容する位置にセットしたときのプッシュノブ１４の操作に必要な操作力は、上記実施例の場合よりも大きくなり、第１のスプリング部のばね定数より第２のスプリング部のばね定数を大きくした場合よりも小さくなるものの、規制部材２２を、ばね座１６方向へのプッシャ２１の移動を制する位置にセットしたときのプッシュノブ１４の操作に必要な操作力よりは、やはり小さくなる）。
【００２０】
更に、そのことから、第１のスプリング部と第２のスプリング部は、１つに連なったスプリングで、その中間部にプッシャが介入位置するものであっても良い。
【００２１】
加えて、規制部材は２つを同時に動かすようにすることもできる。
このほか、本発明は上記し且つ図面に示した実施例にのみ限定されるものではなく、要旨を逸脱しない範囲内で適宜変更して実施し得る。
【図面の簡単な説明】
【００２２】
【図１】本発明の一実施例を示す全体的縦断面図
【図２】図１のＸ−Ｘ線に沿う横断面図
【図３】図１のＹ−Ｙ線に沿う縦断面図
【図４】従来例を示す図１相当図
【符号の説明】
【００２３】
図面中、１４はプッシュノブ、１５は可動コンタクト、１６はばね座、１９は固定コンタクト、２１はプッシャ、２２は規制部材、２４は圧縮コイルスプリング（第１のスプリング部）、２５は圧縮コイルスプリング（第２のスプリング部）を示す。
【図１】
2006331778.tif 000003
【図２】
2006331778.tif 000004
【図３】
2006331778.tif 000005
【図４】
2006331778.tif 000006